(57)【特許請求の範囲】
【請求項１】
ハウジングとバルブ本体（２０，３２０）を伴う飲料通路とからなる、飲料用の容器（１，２，４）のバルブ組立品（８，３０８）であつて、バルブ本体を移動させるための操作手段が設けられ、該操作手段はバルブ本体を通りあるいはそれに沿って容器を空にするために飲料通路（５０，３５０）を飲料放出手段に連結するための第１カップリング手段（１００，３００）と、バルブ本体を通りあるいはそれに沿って容器を充填するために飲料通路（５０，３５０）を充填装置に連結するための第２カップリング手段（８０，３８０）を含み、
第１および第２カップリング手段は択一的に取付けられて使用され、第１カップリング手段はバルブ本体を第１および第２位置間で移動させるように構成され、第２カップリング手段はバルブ本体を第１および第３位置間で移動させるように構成され、第１位置では飲料通路が完全に閉鎖され、第２位置では第１流量のために通路が開放され、第３位置では第２流量のために通路が開放され、第２流量は第１流量より大であり、使用中にバルブ本体が第３位置にある場合、バルブ本体が第２位置にある場合と比較して、バルブ組立品に接続されている容器は飲料通路を通じて比較的迅速に充填され、バルブ本体が第２位置にある場合、バルブ本体が第３位置にある場合と比較して、飲料が関連容器から比較的静かに放出せられるように配置されていることを特徴とするバルブ組立品。
【請求項２】
飲料が炭酸飲料であることを特徴とする、請求項１記載のバルブ組立品。
【請求項３】
飲料がビールであることを特徴とする、請求項１記載のバルブ組立品。
【請求項４】
第２カップリング手段（８０，３８０）を飲料の充填のために使用された後に取り外し、飲料の分配のための第１カップリング手段（１００，３００）に交換可能である請求項１〜３のいずれかに記載のバルブ組立品。
【請求項５】
第１カップリング手段（１００，３００）およびバルブ本体（２０，３２０）が第１位置と第２位置の間のバルブ本体（２０，３２０）のストロ−クを制限するための第１停止手段（１０４，１２２）を含み、第２カップリング手段およびバルブ本体が第１位置と第３位置の間のバルブ本体（２０，３２０）のストロ−クを制限するための第２停止手段（９０，１２２）を含む請求項１〜４のいずれかに記載のバルブ組立品。
【請求項６】
バルブ本体（２０，３２０）が少なくとも部分的に中空であり、周壁（５４，３７１）と密閉末端壁（５２，３５２）を有し、少なくとも１つの開口（５６，３５６）が側壁に設けられ、この開口（５６，３５６）はバルブ本体（２０，３２０）が第２位置にある際に部分的に開放され、バルブ本体が第３位置にあるとき完全に開放され、使用中、容器と飲料通路の容器とは逆の端部との間に流体連結をつくる、請求項１〜５のいずれかに記載のバルブ組立品。
【請求項７】
第１カップリング手段（１００，３００）が少なくとも飲料液出し通路（１０８，１２０，１１６，３０８，３８５）の一部を含み、これは一方で飲料通路に連結され、他方では飲料液出し手段に連結せられる請求項１〜６のいずれかに記載のバルブ組立品。
【請求項８】
第１カップリング手段（１００，３００）が少なくとも飲料液出し通路（１０８，１２０，１１６，３０８，３８５）の一部を含み、これは一方でバルブ本体での通路に連結され、他方では飲料液出し手段に連結せられる請求項１〜６のいずれかに記載のバルブ組立品。
【請求項９】
第２カップリング手段（８０，３８０）が少なくとも飲料供給路（８４，３８４）の一部を含み、これは一方で飲料通路に連結され、他方では充填装置に連結せられる請求項１〜８のいずれかに記載のバルブ組立品。
【請求項１０】
第２カップリング手段（８０，３８０）が少なくとも飲料供給路（８４，３８４）の一部を含み、これは一方でバルブ本体での通路に連結され、他方では充填装置に連結せられる請求項１〜８のいずれかに記載のバルブ組立品。
【請求項１１】
操作手段に含まれる第１カップリング手段（１００，３００）および第２カップリング手段（８０，３８０）がバルブ本体（２０，３２０）に連結されることができ、バルブ本体およびハウジングがバルブ本体の第１の閉鎖位置と第２の部分的開放位置の間のストロ−クとバルブ本体の第１の閉鎖位置と第３の完全に開放された位置の間のストロ−クとを制限するため第１カップリング手段（１００，３００）および第２カップリング手段（８０，３８０）と相互協力する停止手段（２３，２５；６１，５３；５５，５７）を含み、第１あるいは第２カップリング手段はそれぞれバルブ本体が第１位置にある時にのみバルブ本体から取り外し得る請求項１〜１０のいずれかに記載のバルブ組立品。
【請求項１２】
バルブ本体（２０，３２０）が第１位置にある際に、末端面（５２，３６２）は飲料通路の縦エッジ（６２）に接して閉鎖する請求項１〜１１のいずれかに記載のバルブ組立品。
【請求項１３】
バルブ本体（２０，３２０）が飲料通路の末端に隣接して取り付けられることを特徴とする請求項１２に記載のバルブ組立品。
【請求項１４】
バルブ本体が少なくとも開放位置にある時、使用中バルブ組立品（８，３０８）に接続された容器の壁（４）を開口（５６，３５６）からある距離に保つ為にスペーサー手段（４６，３１９）が少なくとも１つのバルブ開口（５６，３５６）に隣接して配置せられる請求項１〜１３のいずれかに記載のバルブ組立品。
【請求項１５】
バルブ本体（２０，３２０）が第１位置で第２位置および第３位置から離れる方向に付勢される請求項１〜１４のいずれかに記載のバルブ組立品。
【請求項１６】
バルブ本体の少なくとも一部とハウジングの間に、第１位置でのバルブ本体を付勢するためのばね手段（７２，１４７，２４７，３４７）を収容する室（４４，１４４，２４４，３４４）が形成されている請求項１５記載のバルブ組立品。
【請求項１７】
ばね手段が流体ばね手段を含み、バルブ本体が閉鎖位置から開放位置に移動する間、流体が該室内で圧縮されバルブ本体上に第１位置の方向への力を生じる請求項１６記載のバルブ組立品。
【請求項１８】
ばね手段が室を気密に閉鎖する手段を含み、バルブ本体が閉鎖位置から開放位置に移動する間、流体が該室内で圧縮されバルブ本体上に第１位置の方向への力を生じる請求項１６記載のバルブ組立品。
【請求項１９】
流体が空気であることを特徴とする請求項１７または１８に記載のバルブ組立品。
【請求項２０】
ばね手段がばね（３２，１４７，２４７，３４７）からなる請求項１６記載のバルブ組立品。
【請求項２１】
ばねがプラスチックコイルばねあるいは板ばねからなる請求項１６記載のバルブ組立品。
【請求項２２】
バルブ本体（２０，３２０）が閉鎖位置に、操作手段により、固定せられる請求項１〜２１のいずれかに記載のバルブ組立品。
【請求項２３】
バルブ本体（２０，３２０）と加圧体（３２１）とを含み、バルブ本体は閉鎖位置と開放位置の間を加圧体に対して移動可能であり、密閉位置で一方に付勢するためばね手段（７１，１４７，２４７，３４７）がバルブ本体と加圧体の間に設けられており、加圧体とバルブ本体は少なくとも部分的にハウジング（４２，２４３，１８，３１８）中に収容されており、ハウジングに対して加圧体の移動とバルブ本体の移動とがバルブ本体を開放位置に導く請求項１〜２２のいずれかに記載のバルブ組立品。
【請求項２４】
ハウジングと実質的にその中に収容されているバルブ本体とからなり、該バルブ本体（２０，３２０）はばね手段（７１，１４７，２４７，３４７）により閉鎖位置に付勢されており、該バルブ本体（２０，３２０）は少なくとも１つの半径方向の、少なくとも外方に向けられた開口と密閉壁を有する筒状部を含み、閉鎖位置で前記少なくとも１つの開口（５６，３５６）を閉鎖する加圧体（３２１）が設けられ、バルブ本体の加圧体に対する軸的移動で前記少なくとも１つの開口（５６，３５６）が部分的に開放され筒状部内側と大気との間に流体接続ができる請求項１〜２３のいずれかに記載のバルブ組立品。
【請求項２５】
請求項１〜２４のいずれかに記載のバルブ組立品の設けられた飲料の容器。
【請求項２６】
飲料が炭酸飲料であることを特徴とする請求項２５記載の容器。
【請求項２７】
飲料がビールであることを特徴とする請求項２５記載の容器。
【請求項２８】
容器（１）が内容器（４）と外容器（２）からなり、少なくとも内容器（４）が少なくとも部分的に柔軟性を有し、内容器（４）と外容器（２）の間の空間に、またそこから加圧媒体を供給排出するための手段が設けられ、該手段は空気路（８６，９５，３９５，３７６）であり、これはバルブ本体が第１位置にある場合に閉鎖され、バルブ本体が第２あるいは第３位置にあるとき開放せられる請求項２５〜２７のいずれかに記載の容器。
【請求項２９】
加圧媒体が空気であることを特徴とする請求項２８記載の容器。
【請求項３０】
バルブ組立品がそれを外容器に取り付けるための第１締結手段（１８，３６１）と、それを内容器に取り付けるための第２締結手段（４０，３１９）を含み、加圧媒体を導入しまた流出させる手段（７６，３７６）が第１締結手段と第２締結手段の間に開き、第２締結手段はシ−ル法あるいは接着法等の連結法で飲料通路あるいはその各通路から離れたところで内容器に連結されるよう配置されている請求項２８または２９に記載の容器。
【請求項３１】
第１カップリング手段（１００，３００）および第２カップリング手段（８０，３８０）が第１シ−リング手段（９０）を含み、ハウジングが第２シ−リング手段（８８）を含み、バルブ本体の各開放位置で、第１シ−リング手段と第２シ−リング手段が協力して第１カップリング手段及び第２カップリング手段各々と、飲料通路、飲料供給路、各飲料液出し通路とから分離されている空気通路とを流体密に連結をする請求項２８〜３０のいずれかに記載の容器。
【請求項３２】
請求項１〜２４のいずれかに記載のバルブ組立品で、少なくともバルブ本体とハウジングが再利用可能な材料から作られているバルブ組立品。
【請求項３３】
内容器（４）がバルブハウジングに連結され、この内容器（４）が外容器（２）中に挿入されバルブ組立品（８，３０８）に隣接して固定され、第２カップリング手段（８０，３８０）がハウジングおよびバルブ本体（２０，３２０）に連結され、第２カップリング手段（８０，３８０）が充填装置に接続され、この第２カップリング手段（８０，３８０）はバルブ本体（２０，３２０）が第３の開放された位置へと導入されそこに保持されるように操作され、飲料が充填装置から飲料通路を介して内容器（４）中に導入され、そのとき空気が内容器（４）と外容器（２）の間の空間から排出され、内容器（４）が十分に充填された時、第２カップリング手段（８０，３８０）はバルブ本体（２０，３２０）が第１の閉鎖位置へと動くように引っ込められ、第２カップリング手段（８０，３８０）がハウジングから取り去られ第１カップリング手段（１００，３００）で置き換えられる、請求項２５〜３１のいずれかに記載の容器の使用方法。
【請求項３４】
内容器（４）を外容器（２）中に挿入する前に、使用済み内容器（４）がそれに連結されたバルブ組立品の一部と共にとり除かれる請求項３３記載の方法。
【請求項３５】
第１カップリング手段（１００，３００）を位置せしめた後に、内容器（４）と外容器（２）の間の空間に空気供給手段が接続され、その後空気が加圧下に前記空間中に導入され、第１カップリング手段（１００，３００）はバルブ本体（２０，３２０）が第２の制限的に開放された位置にもたらされ飲料が内容器（４）から所望量排出されるように操作され、その後第１カップリング手段（１００，３００）はバルブ本体（２０，３２０）が第１の閉鎖位置に戻るように引っ込められ、飲料通路が閉鎖せられる請求項３３または３４に記載の方法。
【請求項３６】
第１カップリング手段（１００，３００）はバルブ本体（２０，３２０）がばね手段の影響下に第１の閉鎖位置に戻るように引っ込められ、飲料通路が閉鎖せられることを特徴とする請求項３５記載の方法。
【請求項３７】
ハウジングとバルブ本体（２０，３２０）および加圧体（３２１）を伴う飲料通路とからなる、飲料用の容器（１，２，４）のバルブ組立品（８，３０８）であつて、バルブを操作するための操作手段が設けられ、該操作手段はバルブ本体を通りあるいはそれに沿って容器を空にするために飲料通路（５０，３５０）を飲料放出手段に連結するための第１カップリング手段（１００，３００）と、バルブ本体を通りあるいはそれに沿って容器を充填するために飲料通路（５０，３５０）を充填装置に連結するための第２カップリング手段（８０，３８０）を含み、
第１および第２カップリング手段は択一的に取付けられて使用され、第１カップリング手段はバルブ本体に対して加圧体を第１および第２位置間で移動させるように構成され、第２カップリング手段はバルブ本体に対して加圧体を第２および第３位置間で移動させるように構成され、第１位置では飲料通路が完全に閉鎖され、第２位置では第１流量のために通路が開放され、第３位置では第２流量のために通路が開放され、第２流量は第１流量より大であり、使用中に加圧体が第３位置にある場合、加圧体が第２位置にある場合と比較して、バルブ組立品に接続されている容器は飲料通路を通じて比較的迅速に充填され、加圧体が第２位置にある場合、加圧体が第３位置にある場合と比較して、飲料が関連容器から比較的静かに放出せられるように配置されていることを特徴とするバルブ組立品。
【請求項３８】
飲料が炭酸飲料であることを特徴とする、請求項３７記載のバルブ組立品。
【請求項３９】
飲料がビールであることを特徴とする、請求項３７記載のバルブ組立品。
【請求項４０】
第２カップリング手段（８０，３８０）を飲料の充填のために使用された後に取り外し、飲料の分配のための第１カップリング手段（１００，３００）に交換可能である請求項３７〜３９のいずれかに記載のバルブ組立品。
【請求項４１】
第１カップリング手段（１００，３００）が少なくとも飲料液出し通路（１０８，１２０，１１６，３０８，３８５）の一部を含み、これは一方で飲料通路に連結され、他方では飲料液出し手段に連結せられる請求項３７〜４０のいずれかに記載のバルブ組立品。
【請求項４２】
第１カップリング手段（１００，３００）が少なくとも飲料液出し通路（１０８，１２０，１１６，３０８，３８５）の一部を含み、これは一方でバルブ本体での通路に連結され、他方では飲料液出し手段に連結せられる請求項３７〜４０のいずれかに記載のバルブ組立品。
【請求項４３】
第２カップリング手段（８０，３８０）が少なくとも飲料供給路（８４，３８４）の一部を含み、これは一方で飲料通路に連結され、他方では充填装置に連結せられる請求項３７〜４２のいずれかに記載のバルブ組立品。
【請求項４４】
第２カップリング手段（８０，３８０）が少なくとも飲料供給路（８４，３８４）の一部を含み、これは一方でバルブ本体での通路に連結され、他方では充填装置に連結せられる請求項３７〜４２のいずれかに記載のバルブ組立品。
【請求項４５】
バルブ本体（２０，３２０）が閉鎖位置に、操作手段により、固定せられる請求項３７〜４４のいずれかに記載のバルブ組立品。
【請求項４６】
バルブ本体（３２０）に、使用中容器外側に面する側に密閉末端壁（３５２）と少なくとも１つの半径方向開口（３５６）が設けられ、またバルブ本体の実質的軸方向にバルブ本体に沿って移動可能な加圧体（３２１）が設けられ、該加圧体（３２１）は第１カップリング手段（１００，３００）および／または第２カップリング手段（８０，３８０）により、前記少なくとも１つの半径方向開口を少なくとも部分的に開放するため操作されうる請求項３７〜４５のいずれかに記載のバルブ組立品。
【請求項４７】
請求項３７〜４６のいずれかに記載のバルブ組立品の設けられた飲料の容器。
【請求項４８】
飲料が炭酸飲料であることを特徴とする請求項４７記載の容器。
【請求項４９】
飲料がビールであることを特徴とする請求項４７記載の容器。
【請求項５０】
バルブ組立品がそれを外容器に取り付けるための第１締結手段（１８，３６１）と、それを内容器に取り付けるための第２締結手段（４０，３１９）を含み、加圧媒体を導入しまた流出させる手段（７６，３７６）が第１締結手段と第２締結手段の間に開き、第２締結手段はシ−ル法あるいは接着法等の連結法で飲料通路あるいはその各通路から離れたところで内容器に連結されるよう配置されている請求項４７〜４９のいずれかに記載の容器。
【請求項５１】
第１カップリング手段（１００，３００）および第２カップリング手段（８０，３８０）が第１シ−リング手段（９０）を含み、ハウジングが第２シ−リング手段（８８）を含み、バルブ本体の各開放位置で、第１シ−リング手段と第２シ−リング手段が協力して第１カップリング手段及び第２カップリング手段各々と、飲料通路、飲料供給路、各飲料液出し通路とから分離されている空気通路とを流体密に連結をする請求項４７〜５０のいずれかに記載の容器。
【請求項５２】
請求項３７〜４６のいずれかに記載のバルブ組立品で、少なくともバルブ本体とハウジングが再利用可能な材料から作られているバルブ組立品。
【発明の詳細な説明】
【０００１】
【発明の属する技術分野】
本発明は請求項１または３７の前文に記載された型の飲料容器、特にビールの如き炭酸飲料の容器のバルブ組立品に関する。かかるバルブ組立品は欧州特許第０ ２２４ ３８０号から周知である。
【０００２】
この公知の飲料用容器のバルブ組立品はハウジングとバルブ本体を有する飲料通路からなる。前記バルブ本体を動かすために操作手段が設けられており、この操作手段は容器から飲料を除去しまた容器中に飲料を導入するための第１と第２のカップリング手段をそれぞれ有している。この公知の組立品においては、バルブ本体の通路開口の総面積が第１（閉鎖）位置と第２（開放）位置でそれぞれ充填中の面積と放出中の面積に等しい。
【０００３】
さらにまた、欧州特許第３８５１９１号には飲料水路の設けられたハウジングからなり、該水路はバルブ本体を収容し、このバルブ本体は第１位置において飲料水路の完全な閉鎖をなすののが記載されている。迅速密閉手段により飲料の供給ラインあるいは放出ラインがハウジングに接続されうる。この公知のバルブ組立品では容器の充填中並びにそこからの飲料の放出中に飲料水路の同じ路がそれぞれの場合に開かれる。この通路は比較的狭いので飲料容器の充填は比較的ゆっくり行われる。この周知のバルブ組立品では通路を大にすると、当然ながら飲料の放出時に流量が非常に大となり飲料放出ならびにその制御に悪影響を及ぼす。
【０００４】
またこの公知のバルブ組立品は縦断寸法が比較的大で、例えばそれの取り付けられた容器の貯蔵、所望の棚空間ならびにかかるバルブ組立品の弱みの点で不利である。さらにまた、この公知の組立品はその欠点として、２つのバルブ本体が互いに反対に動くので、これは複雑であり、高価につきまた機能不全に成りやすい。
【０００５】
【発明が解決しようとする課題】
本発明の目的は前述の型のバルブ組立品で、少なくとも前述の欠点がなくしかもその利点を保持したバルブ組立品を提供するにある。この目的のため、本発明のバルブ組立品は請求項１または３７の特徴点で特徴ずけられる。
【０００６】
本発明に係るバルブ組立品においては、２つの異なるカップリング手段、即ち容器を空にするためバルブ組立品の飲料通路を飲料液出し手段に連結する手段と、容器を充填するため飲料通路を充填装置に連結する手段が驚くべき方法で使用せられる。容器の充填ならびに空にする操作はいずれもバルブ本体中であるいはそれに沿っておこなわれる。公知のバルブ組立品とは異なり、関連カップリング手段の寸法ならびにデザインはいずれの場合にも最適なものが設けられ、他方実質的に同じバルブハウジングならびにバルブ本体が、例えば内容器に固定連結されて用いられる。
【０００７】
第２カップリング手段は例えば大流量で、この手段なしでの飲料及び／又は容器への悪影響あるいは過剰発泡なしで、比較的大速度および／または圧で容器を少なくとも充填することを可能ならしめる。容器を空にするに適した第１カップリング手段は例えば飲料の比較的ゆっくり制御された放出のため比較的小さい通路に設計せられ得る。また例えば第１カップリング手段は比較的大きなストロークでバルブ本体を操作することができるように設計できるし、また第１カップリング手段は例えば比較的小さいストロークのものとし、比較的小さい突き合わせ寸法をもつものに構成することが出来る。
【０００８】
これは第１カップリング手段にとつて特に重要である。というのはこう言った第１カップリング手段は原則的に容器と共に最終使用者に提供されるからである。他方第２カップリング手段は原則的に醸造所、ビン詰め工場等で利用せられる。第１カップリング手段と第２カップリング手段を用いる更なる利点は、第１カップリング手段は組み合わされる容器が充填されてしまうまでは取り付ける必要がなく、従ってそのシールおよび／またはタンパーシールが特に簡単な具合に可能であり、問題容器の内容物の品質を保証するうえで重要である。
【０００９】
バルブ本体が第３位置にある時、比較的大量の飲料が単位時間あたりバルブ本体を通過し、過剰の発泡なしで飲料容器が比較的迅速に充填せられる利点を有する。これは特に複雑な工夫を凝らす必要なしに飲料容器の充填が比較的短時間におこなわれることを意味する。
【００１０】
またこれは充填中飲料の品質が悪影響を受けることを防止し、しかも比較的高い充填圧が摘要可能である。バルブ本体が第２位置にある時、飲料放出のため比較的小さい通路のみが開放されるので、やはり過剰発泡なくなんら複雑な工夫なしで所望流量の正確な制御が可能である。
【００１１】
さらなる具体例で本発明に係る装置は請求項５の特徴点で特徴ずけられる。係る具体例においては、バルブ本体の完全に閉鎖された第１位置、部分的に開放された第２位置および完全に開放された第３位置が不連続ステップとして規定され、その結果かかるバルブ組立品はさらに簡単な方法で使用せられうる。
【００１２】
さらなる有利な具体例で本発明に係るバルブ組立品は請求項６、特に請求項６〜８の特徴点で特徴ずけられる。少なくとも１つの部分的な中空バルブ本体を設け、側壁に少なくとも１つの開口をもうけてバルブ本体の少なくとも第２および第３位置において、バルブ本体がそのなかで用いられる容器と関連容器から離れた飲料通路部分の間に開放流体連結を作ることにより達成せられる利点は、バブル本体が特に簡単な構造となされしかも第１および第２位置での通路が側壁の前記あるいは各開口の覆われていない部分の全表面積により容易に規定せられる点である。
【００１３】
第１位置で、飲料通路は少なくとも末端面で閉鎖され関連容器からの飲料は問題の開口あるいは各開口に達し得ない。それにより得られる利点は少なくとも容器中に飲料を供給する間、飲料の流出方向がバブル本体の縦軸と或る角度をなし飲料の好ましい分布が得られ、また飲料が充填開口から容器中に既に存在する飲料中へ直接十分な圧力で供給せられることが防止され、従ってその発泡が抑制せられる点である。これはまた、飲料が容器から放出せられる時、容器から飲料通路への関連開口を通じての飲料給送が例えば容器の柔軟壁により妨げられる可能性が防止せられる利点を与える。
【００１４】
さらにまた使用中いずれの場合にも飲料通路自体の流通開口が殆ど完全に自由のままになっており、あるいは少なくともバルブ組立品が開放せられる時、その通路がバブル本体の存在で殆ど妨げられることが無く、飲料の流れが容器の充填および容器を空にする間に悪影響をうけることがないとの利点がある。さらに充填圧がバブル本体の開口を支持する。バブル本体の末端面を第１位置で飲料通路の縦エッジにもたれて閉鎖するために使用すると、簡単な方法で適切なシールが得られこのシールは容器中に幾分かの高い圧力を生じせしめることによりさらに改善せられる。
【００１５】
べつの具体例において本発明のバルブ組立品は請求項１１の特徴点で特徴ずけられる。操作手段をバルブ本体に結合させるとその操作を簡単になしうる。停止手段は、第１カップリング手段と第２カップリング手段が用いられる時、バルブ本体のストークをいずれの場合にも明瞭に規定する。さらにまた、バルブ本体が第１位置にある時にのみカップリング手段をバルブ本体から取り外せるようにすることにより、カップリング手段不在時に飲料が容器から不用意に逃げ去ることが防止せられる。事実カップリング手段が取り外された時開放位置がバルブ本体により取られるに過ぎない。
【００１６】
さらに有利な具体例でバルブ本体は密閉位置で一方に片寄らされている。さらなる具体例で本発明に係るバルブ組立品は請求項１６の特徴点で特徴ずけられる。バルブ本体とハウジング間の室での収容ばね手段は、こうすることによりバネ手段が容易に保護され、容易に作られ、しかも飲料の流れからはずれて位置せしめられる利点を与える。これは飲料品質とバネ手段の相互影響を簡単に抑制する。第１の密閉位置でバルブ本体を一方に片寄らせることは、バルブ本体が開放位置に活発に導かれるまでまでは飲料が容器から流出しえないとの利点を提供する。
【００１７】
さらなる具体例で本発明に係るバルブ組立品は請求項１７〜１９の特徴点でさらに特徴ずけられる。流体ばね、特に空気ばねを用いることにより、バルブ組立品は特に簡単で安価なものとすることが出来、また好適なばね特性を有するばね手段が得られる。またかかるばね手段は、飲料品質がいかようにも影響を受けることがなく、たとえ飲料がばね手段に接触しても影響を受けることがないとの利点を有する。さらにまた本発明に係るバルブ組立品の回収再利用がさらに簡単になる。
【００１８】
さらに有利な具体例において本発明に係るバルブ組立品は請求項２２の特徴点で特徴ずけられる。バルブ本体を閉鎖位置に固定することは、それと共に提供せられる容器の輸送ならびに貯蔵がさらに簡単になりそれにより品質保持が確実になる利点を提供する。さらに有利な具体例において、本発明に係るバルブ組立品は請求項２３の特徴点で特徴ずけられる。
【００１９】
かかる具体例で得られる利点は、加圧体が２つの方向に移動可能で、容器の内部空間にたいしてそれが圧力開放バルブとなる点である。結局容器の内部空間に不用意に高い圧力が生じる場合、バルブ本体は少なくとも部分的な開放位置に押しやられ、少なくとも圧力を下げるため、内部空間から中の圧力を下げるため少なくとも気体が逃げ出す気体が内部空間から逃げ去りの圧力を下げる。本発明はさらに請求項２４の特徴点で特徴ずけられ、飲料用容器のためのバルブ本体にかんする。かかる具体例では特に簡単な構成で有効パターン通路のバルブ組立品が得られる。
【００２０】
本発明はさらに、本発明に係るバルブ組立品の設けられた飲料容器特にビールの如き炭酸飲料用の容器にも関する。特に有利な具体例において、本発明に係る容器は請求項２８，２９の特徴点で特徴ずけられる外容器と、その中に含まれる比較的柔軟な内容器（この中に飲料を貯蔵し得る）を用いることは、内容器と外容器の間に加圧媒体を導入するして比較的簡単な方法で内容器を圧縮し空になしうる利点が提供せられる。
【００２１】
従って内容器は比較的有効に外容器により保護され得る。このような方法で内容器は比較的容易に空になされ、また容器は第２カップリング手段を伴うバルブ組立品により容易に充填せられる。内容器と外容器の間の空間に前記の加圧媒体を供給するための手段を設け、この供給手段はバルブ本体が第１位置にある場合に閉鎖され、バルブ本体が第２あるいは第３位置にある際には開いているようにすることにより、前記空間内の圧力が適当な水準に保たれ、飲料が容器中に供給されたりあるいはそこから放出されたりすることがないように成しうる。結局これらの場合にバルブ本体は第１位置にあり飲料通路は閉鎖される。
【００２２】
さらに有利な具体例に於いて、本発明の容器は請求項３１の特徴点で特徴ずけられる。第１および第２カップリング手段上に打愛１シール手段をまたハウジング上に第２シール手段を用いることにより、但しこの第１および第２シール手段はバルブ本体が開放位置にあるとき第１あるいは第２カップリング手段と空気路の間に飲料が通るべき通路とは離れて流体のもれない接続のために協力するようにすると、空気が飲料に接触することなく空気、少なくとも加圧媒体、の通路が容易に得られる。
【００２３】
本発明は請求項３３の特徴点で特徴ずけられる本発明の容器の使用方法にも関する。かかる方法は本発明の容器が特に簡単な方法で組立られまた充填され、しかも充填後に容器の閉鎖が直ちに行われる利点を提供する。
【００２４】
内容器の設置に先立ち使用済の内容器をそれに接続されているバルブ組立品の一部と共に除去することによりえられる利点は、そと容器が再度使用されることであり、また内容器はバルブ組立品の関連部分と共に再使用可能である。これは可能性としてはバルブ組立品全体であるが、好ましくは第２カップリング手段を除外したものについて可能である。
【００２５】
バルブ組立品、飲料容器、および方法ならびにその組み合わせのさらに有利な具体例が各請求項に記載されている。本発明の理解のため、以下本発明に係るバルブ組立品、飲料容器ならびに方法が添付図を参照して説明される。
【００２６】
本願明細書に於いて、同一もしくは対応部品は同一もしくは対応参照番号を付してある。本願明細書に於いて、バルブ本体の第１位置は密閉位置を意味し、第２位置は容器から飲料を放出するための部分開放位置を意味し、また第３位置は容器充填のための開放位置を意味するものと解さるべきである。第３位置に於いて、バルブ組立品は第２位置より更に開放され、流量をより大とすることが好ましい。
【００２７】
本発明に係る容器１はＥＶＯＨの如きガス、脱気剤等の通過にたいする遮断壁を有する、例えばＰＥＴあるいはＰＥＮ，あるいはＰＥＴから吹込成形された実質的硬質の外容器と、例えばポリエチレン製の軟質の例えば袋形の内容器４とからなる。勿論他のプラスチックスあるいは金属も容器の材料として好適である。内容器も適当な遮断性を有する種々の材料から作ることもできる。図１の中心線Ｃの右側に、内容器４が充填状態で示されており、これは外容器２の内側にくっついている。左側には内容器４が空の状態で示され、ここでは内容器の内容積は零である。この状態で、内容器４は外容器２の頸部２８を介して外容器２から取り出されあるいは中に挿入せられる。
【００２８】
頂部末端６に隣接して、内容器４は後段に詳述されるようにバルブ組立品８に取り付けられる。底部末端１０に隣接して、外容器２には起立環１２が設けられ、その上に容器１が配置されている。頂部側に設けられているのは第２環１４で、これはバルブ組立品８を取り囲み保護しており、この環にはまた容器１を簡単に持ち上げ取り扱えるようにハンドグリップ１６が設けられている。環１２、１４は例えばプラスチックス、カードボードあるいは金属から作られる。そのために外容器は金属から作ることも出来る。
【００２９】
図２に示したバルブ組立品はバルブハウジング１８とバルブ本体２０とからなる。このバルブハウジング１８は締め付け隆起２６を有するぶらさがり円周壁をもつ頂面２２を含み、この隆起２６でもってバルブハウジング１８は第２締め付け隆起３０の下で頸部２８上に固定せられる。頂面２２に設けられているのは中心開口３２である。開口３２を囲み上方に同心的に伸びているのは第１ガイドネック３４で、また第２ガイドネック３６が同心的に反対方向に伸びている。
【００３０】
第２ガイドネック３６にはその底部側に内方に向かう締め付けエッジ３８が設けられている。室４４の外壁を作る円筒壁４２により締め付けエッジ３８の後ろに、下部のハウジング部４０が底側からまた第２ガイドネック３６内に維持せられる。円筒壁４２の底側には幾分ダイヤモンド型のスペーサー部４６が設けられ、そこに中心孔４８がある。バルブ本体２０は実質的に円筒形で、中心通路５０を備え、その底末端は末端面５２で閉鎖されている。円周壁５４内で末端壁５２の直ぐ上には、バルブ本体２０が開放された時、即ち第２位置あるいは第３位置にある際に、バルブ本体２０の外側に、また内容器４の内部空間５１に、中心通路５０を接続する２つの開口５６が設けられている。
【００３１】
図２は第１位置にあるバルブ本体２０を示す。末端面５２には周囲に下方に伸びるリップ５８が設けられ、このリップはバルブ本体２０が第１位置にある時、下方ハウジング部４０の下方に伸びる環部分６２の周囲エッジ６０をシールする。これでバルブ本体２０を通る中心孔４８を、従って開口５６と内容器４の内部空間の間の密閉が得られる。
【００３２】
内容器４はスペーサー部４６の上で、円筒壁４２にもたれて、少なくとも円筒壁部４２とスペーサー手段４６の間の移り変わり部にもたれて、下方ハウジング部４０に接続せられる。内容器４はシーリングによりバルブハウジング１８に、少なくともその下方ハウジング部４０に接続され、シール接続部と環部６２の間の距離が比較的大きいことが周囲エッジ６０の変形従ってリップ４８のシーリングに対しての悪影響が容易に防止せられる。
【００３３】
バルブ本体２０には末端面５２から遠くに離れた上端６４があり、そこには上方向に伸びる表面６８のある外方向に伸びるフランジ６６が設けられている。表面６８の外側には第２の円周的に伸びるリップ７０が設けられ、適当な調和性で円筒壁４２の内側に接触する。室４２は円筒形で、円筒壁４２、フランジ６６、バルブ本体２０の側壁４４およびスペーサー部４６と円筒壁４２の間の移り変わり部４７の間に囲まれている。室４４の中でその頂部及び底部にはパッキング例えばプラスチックあるいはゴムＯリング７２が配置されており、室４２を気密にシールしている。
【００３４】
バルブ本体２０の例えば図３に示された第３位置へのＰ方向への下方移動中に、室４４の容積は減少せられ、なかに含まれる空気は逃げることが出来ず、従って圧縮せられる。その結果バルブ本体２０にＰとは反対方向に圧締力が生じ、これが図２に示された密閉第１位置の方向にバルブ本体２０を押しやる。所望により、図２に示された空気ばね手段に加えてあるいはその代わりに、他のばね手段例えばコイルばね、あるいは他の液体を室４４中に組み込むことも出来る。
【００３５】
円筒壁４２と第２ガイドネック３６の間には空気通路７６の第１部分７４を形成する幾分かの空間が開かれている。図２に示されている第１位置において、表面８の上端は中心開口３２周辺の底側と接している。従って開口３２に隣接する空気路７４は密閉される。従って、バルブ本体２０のこの位置では、空気は内容器４と外容器２の間の空間７８からあるいは該空間へと流れ去ることが出来ない。
【００３６】
図２は円錐台底部末端８２によりバルブ本体２０の上末端６４に連結された第２カップリングパーツ８０を示す。この円錐台底部末端はバルブ本体２０の内部に対し液漏れのないシールをあたえる。第２カップリングパーツ８０は中心通路８４を有し、これがバルブ本体２０の中心通路５０に適当にまた液漏れなしに連結され、バルブ本体２０の通路５０断面と同一あるいは好ましくはそれより幾分大きい断面を有している。第２カップリングパーツ８０の中心通路８４は、空気通路７６の同心的に位置せしめられた第２パーツ８６でとりかこまれ、それは中心通路８４の底部末端８２のある距離だけ上で終わっている。
【００３７】
中心開口３２の周りに設けられているのは、第２空気路部分８６の外壁９０の底側に接触し、バルブ本体に接続された第２カップリングパーツ８０が図３に示されている如く大体Ｐ方向に最大限に押し下げられた時それをシールするに適している盛り上がったリップ８８である。中心通路８４の壁９２と中心開口３２の間にはいくらかの隙間があり、第２カップリングパーツが図３に示される第２位置にある時、そこを通じて空気が第２空気路部分８６から中心開口３２を通り第１空気路部７４に流れ、そこから中間空間７８へと流れるか、あるいはそこから除去され、その間空気通路７６は協力作用壁９０および盛り上がったリップ８８により大気の方に対しては遮断される。第２カップリングパーツ８０はガイドネック３４内で壁９０の外側により明白な移動が達成せられる。
【００３８】
もし第２カップリングパーツ８０が図３に示される第３位置から引き込められると、壁９０の底部末端はリップ８８から離れ引き戻され、空気通路７６はガイドネック３４の開口９４を通じて大気と自由連絡せられ、従って空気がさらに容器中に導入されたりそこから放出されることは無い。
【００３９】
図２と図３の比較から明らかな如く、第２カップリングパーツ８０は第１位置と第３位置の間に比較的大きなストロークＳ１を作り得る。図３に示される第３位置で、開口５６は下部環６２の下で完全に自由である。カップリングパーツ８０での中心通路８４とバルブ本体２０の飲料通路５０により部分的に提供せられる飲料供給通路を介して飲料は開口５６を通じ図１０に略図的に示される如く内容器４の内部空間中に送りこまれる。同時に、空気通路７６を介して空気は内容器４と外容器２の間の空間７８から放出され飲料のための十分な空間を提供することができる。
【００４０】
好ましくは充填中空間７８に幾分かの過剰圧が保たれ、発泡なしで容器の良好な充填がえられるようになされる。開口５６の完全開放のため、飲料は比較的大なる流量で、相対的に高圧下、飲料になんらの悪影響なしに、容器中に迅速に導入せられる。飲料は開口５６から例えば内容器４の壁に向かって実質的に放射的に流れるので、さらに良好な充填が行われる。スペーサー部４６は内容器４の壁が開口５６に接触しないようにすることを確実ならしめる。
【００４１】
内容器４が飲料で完全に充填された後、第２カップリングパーツ８０は上方へと引き上げられ、あるいは少なくとも押圧力がそこから除かれ、室４４内に設けられたばね手段４５でバルブ本体２０が第１位置へと押し入れられ、バルブ本体２０が中心孔４８を液漏れのないように密閉する。次いで第２カップリングパーツ８０がバルブ本体２０およびハウジング１８から除去され、廃棄せられるかあるいは次の容器の充填に再利用せられる。
【００４２】
図４は本発明に係るバルブ組立品の断面図で、バルブハウジング１８とバルブ本体２０は図１乃至図３の具体例のものと同じである。しかしながら第２カップリング手段８０は内容器４から飲料を放出するのに適した第１カップリング手段１００と置き換えられている。このカップリング手段１００は第１周壁１０２を含み、これはガイドネック３４内にガイダンスでもってきっちりと受け入れられる。底末端に隣接し周壁１０２には幾分斜角のつけられた内エッジ１０４が設けられ、ガイドネック３４とリップ８８の間にきっちりと密封的に受け入れられる。第１カップリング手段１００の上部縦エッジ１０６は幾分円錐状に外方に広がり、圧力媒体、特に加圧空気を周壁１０２内に導入するため圧力源の供給ホース（図示なし）に連結するための接触面を含む。
【００４３】
第１カップリング手段１００にはさらに第１脚部１１０を有するひざ型チャンネル部１０８が設けられており、このチャンネル部は円筒状で第１周壁１０２に対し同心的に伸び、部分的に第１周壁中に含まれ、また第１脚部１１０の末端から第２脚部１１２が略水平に伸びて設けられ、この末端は使用中第１周壁１０２を通り上方を指し、そこから幾分突出する。第２脚部の周壁１０２から突出する部分１１４にはたわみホース１１６が連結されそこを通じて飲料が容器から放出されあるいは少なくともドローオフタップの如きタッピング装置（図示なし）に導かれる。好ましくはホースは第２脚部１１２に固定接続されまた特に第２脚部と一体に構成せられる。
【００４４】
第２脚部１１２から反対側での第１脚部１１０末端の外横断面はバルブ本体２０でのチャンネル部５０の内断面より幾分小さく、輪型エッジ１１８を有し、このエッジは幾分たわんで外方に伸びバルブ本体２０の壁５４の内側に気密的に接触し得る。かくしてバルブ本体２０の中心孔５０とひざ型チャンネル部１０８中での飲料放出チャンネル部１２０の間に液漏れのない接続が達成せられる。またこの飲料  放出チャンネル５０、１２０は第２周壁１０２内の内部空間に対し密封され、従ってその中に加圧下に導入される空気が飲料放出チャンネル５０、１２０中に流入することはない。
【００４５】
第１脚部１１０の外側には外方に伸びるリブが設けられており、このリブは自由縦エッジ１１８からある距離の点で終わりバルブ本体２０のフランジ６６と該本体移動のため接触しうる。
【００４６】
図４は密閉第１位置でのバルブ本体２０を示し、ここでは第１カップリング手段１００が上方位置に移動せしめられている。第１カップリング手段１００の、バルブハウジング１８の頂面２２より上の高さは、バルブ本体２０が第１位置にある時の、第２カップリング手段８０の前記頂面２２より上の高さに比し相対的に低い。第２脚部１１２はその底側がガイドネック３４の上端エッジの高さのところにある。ガイドネック３４の開口９４は上方に開き、従ってみぞ孔の形をなし、その巾は大体第２脚部１１２の巾に等しい。これは第１カップリング手段１００が、第２脚部１１２が開口９４の上に移動させられた時にのみ下方に動き得ることを意味する。
【００４７】
次いで第１カップリング手段１００は図４に示された位置から図５に示される第２位置へと押し下げられ得る。最大ストロークＳ２は第２カップリング手段の底エッジ１０４とリップ８８とガイドネック３４の間に囲まれた停止面１２２により規定せられる。このストロークＳ２は第２カップリング手段８０の最大ストロークＳ１よりかなり小である。さらにまたこの最大ストロークＳ２により開口５６、すなわちバルブ本体２０の末端壁５２と下方ハウジング部４０の周エッジ６０の底側の間、の最大通路Ｏが規定せられる。このようにして得られる開口の全通路面積Ｏは開口５６の面積より小さく、従ってバルブ本体が第３位置にある場合の開口５６の面積より小さい。
【００４８】
第１カップリング手段が図５に示される第２位置にある場合にバルブ本体２０が押し下げられると空気通路７６が再び開放され、そこを通じて図１１に示される如く、周壁１０２内に導入された圧縮空気が空気通路７６を介して内容器４と外容器２の間の空間にその圧縮のため圧入せられる。飲料は内容器４から開口５６の通路を介して、飲料放出路５０、１２０へと押し入れられホース１１６を介して放出せしめられる。
【００４９】
もし第１カップリング手段１００が例えばばね手段４５の影響下に、再び押し上げられるとバルブ本体２０は第１位置にもどり空気路７６は再び閉ざされ、従って空間７８内に蓄積せられる圧力は少なくとも実質的に回復され、内容器への空気の流入あるいは飲料の流出が防止せられる。スペーサー手段４６は柔軟な内容器４が開口５６に接触せず、従ってバルブ本体が第２位置あるいは第３位置にある際に通路が常に開かれている利点を提供する。
【００５０】
例示すれば、第１カップリング手段の最大ストロークＳ２、従ってバルブ本体の第１位置と第２位置の移動長は例えば３−４ｍｍであり、第２カップリング手段の最大ストロークＳ２、従ってバルブ本体の第１位置と第３位置の最大移動長は例えば約１２ｍｍである。勿論これらの値並びに比率は本発明をなんら制限するものではなく、単に例示に過ぎない。
【００５１】
図１Ａおよび図２Ａに示される如くチャンネル部８６は壁９２の全周に伸び、壁部分９０と９２を連結するため狭いリブが設けられている。
【００５２】
図６と図７は本発明に係るバルブ組立品のさらに別の具体例を示し、これは主として下方ハウジング部４０上にあるいは少なくともそれに隣接してスペーサーデイシュを形成する皿型パーツ１２４が設けられ、これがスペーサー部４６の前に伸び、好ましくは頸部２８を実質的に内側で密閉している点で図１乃至図５の具体例のものと相違している。スペーサーデイシュ１２４の断面Ｄ１は頸部２８の内断面Ｄ２より幾分大で、バルブ組立品８が取り付けられる際に、スペーサーデイシュ１２４が頸部２８内あるいはその下に閉じ込められるようにすることが好ましい。
【００５３】
バルブ組立品８および頸部２８を通して挿入されそれと結合された内容器４の取り付け中スペーサーデイシュ１２４の縦エッジ１２６は幾分内側に弾力的に曲げられ頸部２８が通過したあと跳ね返る。このスペーサーデイシュ１２４は、液をあける間内容器４が頸部２８中で、少なくともスペーサー部４６およびバルブハウジング１８の周りで移動しないようにする利点を提供する。従って内容器４の残容積が零になり、バルブ組立品８の適切な操作が確保されるとの利点が得られる。
【００５４】
図７に示された具体例において、デイシュ１２４は別途に製造され下方ハウジング部４０に、スペーサー部４６に部分的に重ねられまたそれを取り囲んで取り付けられる。図６および図８に示された具体例ではスペーサーデイシュ１２４は下方ハウジング部４０と一体化されスペーサー部４６の上全体に伸びている。これは製造ならびに使用の都合の点から有利である。
【００５５】
図８から明らかな如く、円筒壁４２にはスペーサーデイシュ１２４に隣接して、多数の隙間をあけて配されたリブ部１２８が設けられ、これらはチャンネル部７４の保護に役立つ。また円筒壁４２の上の縦エッジには多数の隙間を開けて配されたはざま群１３０が設けられバルブ本体２０が開いた時チャンネル部７４への空気通路を大にする。これはバルブ本体が第２位置あるいは第３位置にある際に空気路７６の不用意な閉鎖を防止する。この具体例において、内容器４はスペーサーデイシュ１２４に及び／又は好ましくはシーリングによりスペーサー部４６に直接固定され得る。
【００５６】
図９Ａはばね手段１４５の別の第１具体例を示す。この図では室１４４内にコイルばね１４７が収容されており、このコイルばねはバルブ本体２０が円筒壁４２に対して動く間、開放方向Ｐに圧縮せられる。かかるばね１４７は好ましくはプラスチックスから製造せられ、他のバルブ組立品、多分内容器４と共にリサイクルし得る。図９Ｂは更に別のばね手段２４５の具体例を示し、ここでは室２４４のなかに多数の幾分コイル状に伸びるばねリップ２４７が設けられ、それらの上末端はフランジ２６６の底側に接続され、また底末端は室２４４の底に接触している。バルブ本体２０がＰ方向に押し下げられる時、リップ２４７は弾性的に変形しバルブ本体２０上に反対方向に作用する力を生じる。バルブ本体２０が開放されると、それは閉鎖第１位置へと押しもどされる。
【００５７】
図１２および図１３は別の具体例に適応可能な本発明に係るバルブ組立品８のさらに別の具体例を示す。この具体例に於いて、バルブ本体２０にはその内側、上端に隣接して２つの環状の溝５３、５５が設けられている。上の溝５３は表面６８の円錐台形内面中に、また第２の下の溝５５はバルブ本体２０の周壁５４の上端に隣接して設けられている。周壁１０２の底部末端に隣接して、第１カップリング部品１００には（図１３）外側に環状隆起５７が設けられ第１カップリング部品１００をバブル本体２０に連結させるため下方環状溝５５とかみ合わせが可能である。所望により溝５５への隆起部５７の連結を簡単にするため、１つあるいは複数の薄い部分５９あるいは変形可能部分を周壁１０２にその弾性的変形のため設けることができる。
【００５８】
第１カップリングパーツ１００が押し下げられると、これはバルブ本体２０の中心孔５０の中に、隆起部５７が溝５５にはまるまで、いくらか滑り込む。かくして第１カップリングパーツ１００は、バルブ本体２０が第１カップリングパーツ１００と共に上にも下にも動き得る様に、積極的にバルブ本体２０と連結せられる。バルブ本体２０からの第１カップリングパーツ１００の取り外しには、カップリングパーツ１００は上方に引き上げねばならず、またバブル本体２０は、第１カップリングパーツ１００をバルブ本体２０から開放する前に先ず第１の密閉位置に移動せしめられる。バブル本体２０には、円筒状壁４２中の溝２５あるいはこの円筒状壁４２の上方縦エッジの上とかみ合いが可能な外側に伸びる環状隆起２３が上方縦エッジ２１に隣接して設けられることが好ましい。この隆起部２３と溝２５はバルブ本体２０が閉鎖位置にある時に相互にかみ合うように位置せしめられる。かくして、バブル本体２０は、それからカップリング手段１００が取り除かれる前にはいずれの際にも密閉位置になっていることを容易ならしめる。
【００５９】
図１２はバブル本体２０の上方溝５３中にきっちりと受け入れられる環状隆起部６１が設けられている第２カップリング手段８０の底部末端を示す。このときもバブル本体２０が第２カップリング手段８０と共に上下に移動可能なように、バブル本体２０に対する第２カップリング手段８０の積極的連結が得られる。
【００６０】
バルブ本体２０に第１カップリング手段１００あるいは第２カップリング手段８０を積極的に連結させるための力を、隆起部２３と溝２５とを引き離すに必要な力より小にすることにより得られる効果は、いずれの場合にもバルブ本体２０が動かされ得る前に、関連カップリング手段８０、１００がバルブ本体２０に連結せしめられる点である。また隆起部２３と溝２５によりもたらされる利点はバルブ本体２０の表面６８が第２位置ならびに第３位置で幾分内側に変形され、それによりカップリング手段８０、１００をさらに締めつけることである。かかる具体例では、ばね手段は無くてもかまわない。
【００６１】
図１０および図１１は容器に充填あるいはそれを空にするため、飲料とくにビールと加圧媒体特に空気の流れる方向並びに流路を示す。本発明に係るバルブ組立品は、飲料と加圧媒体の流路が１つのバルブ組立品、少なくとも１つのハウジング中に収容されており、互いに完全に独立し、とくに簡単な連結が可能で、バルブ組立品の構造が簡単であるとの利点を提供する。
【００６２】
本発明に係る容器は好ましくは最終需要家によりホルダー（図１４）内に収められる。ホルダーのカバーを閉じることにより圧縮空気への連結が第１カップリング手段１００の頂部側にたいして成され、またカバーを閉じることにより第１カップリング手段１００は通路Ｓ２に沿って押し下げられる。カバーを閉じる前にホース１１６の末端をホルダーから取り出しあるいは例えばホルダー上に配置された引き抜きタップ等に連結せしめられる。かかるホルダーは自動的に内容器と外容器の間の空間７８を所望の圧力にしまた該圧力を保つための手段を含むことが好ましい。かかるホルダーは本発明に係る容器をより簡単に使用することを可能にする。しかしながら本発明に係る容器を別法で圧力源及び／又は飲料放出装置、例えばバー、ホテル、レストラン等で使用されるものの様にそれ自体公知のタッピング装置に接続することも勿論可能である。
【００６３】
図１５は実質的に円筒断面を有するバルブハウジング３１８を含み、中心開口をもつ内側に突出した対抗面３７３を含むバルブ組立品３０８の側断面図である。底側で、このバルブハウジング３１８は中心孔３５０Ａをもつバルブフートで閉鎖されており、このバルブフートは例えば回転溶接、溶接、にかわ付け等によりその上に固定されている。同様に実質的に円筒形の加圧体３２１がバルブフート３１９に面する側から開口を通つて伸び、ショルダー３５７が前記の対抗面３７３に密着し接触している。第１末端３２０Ａにより、バルブ本体３２０は中心孔３５０Ａ中に伸び、Ｏ−リング３７２あるいは他の適当なシールがバルブフート３１９に対するガス気密ならびに液気密シーリングのために設けられている。さらに前記の第１末端３２０Ａからある距離のところにバルブ本体３２０には放射状にのびるフランジ３２３が設けられ、それがバルブフート３１９からの支持をうける。フランジ３２３からバルブ本体３２０の筒部３７１が加圧体３２１の円筒部３３３中へと伸び、またバルブ本体３２０の筒部３７１上に２つのＯリング３７２あるいは他の適当なシールが互いにある距離はなれて固定され、これらＯリングは円筒部３３３の内側を気密にまた液漏れのないようにシールする。これら２つのＯリング３７２の間で、筒部３７１には４つの半径方向の開口３５６が設けられている。
【００６４】
バルブ本体３２０の筒部３７１は頂部末端３２０Ｂで端面３５２により打ち切られている。加圧体３２１とバルブ本体３２０の半径方向フランジ３２３の間にはばね３４７が収容されており、これが加圧体３２１とバルブ本体３２０をおして分離しショルダー３５７が対抗面３７３に逆らい接続され、また端面３５２は加圧体３２１の転移面３５３に位置せしめられる。バルブフート３１９に隣接してバルブハウジング３１８中に設けられているのはガスの通る開口３３１で、その役割は後段に詳述する。バルブフート３１９から、別の筒状体３７５がバルブ本体３２０から離れる方向に伸び、この筒状体に浸漬チューブ３５９が固定されている。バルブフート３１９と浸漬チューブ３５９の間にはべつの開口３５５が設けられている。頂部末端に隣接しバルブハウジング３１８にはセグメント３２６のリング３６１があり、このセグメントは図１５の開放位置では実質的に水平に伸びている。締め付けリング３２９は頂部側からリング３６１の上に滑動せられ、セグメン３２６は実質的に垂直位置へと押し込められ後述の如くバルブ組立品３０８を取り付けるためその位置に保持されうる。締め付けリング３２９中に設けられているのは中心開口３６３で、ここを通つて少なくとも加圧体３２１がその頂部末端まで達しうる。
【００６５】
図１５に示された位置において、バルブ組立品は閉鎖され第１位置にある。加圧体３２１をバルブフート３１９の方向にばね３４７の圧力に逆らって移動させることにより、一方ではショルダー３５７と対抗面３７３の間に通路が出来、また加圧体３２１をさらに押すと他方では加圧体３２１中の転移面３５３の上に少なくとも部分的に開放されて開口３５６が出来、この開口３５６を介して浸漬チューブ３５９と開口３５５、少なくともバルブ本体３２０の中心通路３５０および大気の間に液連絡が出来上がる。部分的に開かれた第２位置が図１８に示されており、この位置は特に飲料放出に好適である。
【００６６】
図１６は本発明に係るバルブ組立品３０８の斜視図で、図ではセグメン３２６、バルブハウジング３１８、バルブフート３１９および開口３５５が明瞭に見られる。
【００６７】
図１７は第１カップリング手段３００の別の具体例を示し、これは円筒状エプロン３０２を含み、その頂部末端は頂面３０１に続き、そこからひざ型チャンネル部３０８が伸びカップリングパーツ３００の内部空間３９０と通じている。この内部空間３９０では２つの円心的な幾分離れたエッジ３９８、３９９が頂面から下方に伸び開放側に分かれ溝３９７を取り囲んでいる。
【００６８】
溝３９７により第１カップリング手段３００は、内側に位置する第１エッジ３９８とその外側に位置する第２エッジ３９９と共に加圧体３２１の頂部エッジ上にしっかりと押しつけられ気体ならびに液体を通さないシールが作られている。この位置は概略的に図１８に示されている。空気通路３９５が第１カップリングパーツの頂部中央に位置する連絡口３９３から縦エッジに隣接する位置まで斜めに伸び、そこで空気路３９５はエプロン３０２と外エッジ３９９の間に開いている通路３９３に接続せられる。
【００６９】
図１８に示された位置において、ショルダー３５７と対抗面３７３の間の通路と開口３９３の間に、従って気体通過口３３１との流体連絡が出来上がる。かくして加圧媒体、特に空気は開口３９３から容器内に、壁２とシート形パッケージ４の間に供給せられ、あるいはシート形パッケージがない場合には直接放出さるべき飲料中に供給せられる。その目的のため、空気供給装置（図示なし）が開口３９３に気密に接続され、同時に第１カップリングパーツ３００が加圧体３２１を動かすためバルブフート３１９の方向に押される。第１加圧体３２１はエプロン３０２の底エッジが対抗面３７３の頂部側にそって走るから少しの距離Ｓ２だけ押し下げられる。すると転移面３５３は開口３５６のほぼ中央水準のところにきて制限された流通量となる。
【００７０】
チャンネル３０８の外末端３９１上に一体に射出成形されているのは２つのうね付き締め付け部３８９で、圧力接続器３８７を介してチャンネル部３０８に連絡されている。この締め付け部３８９はたがいに正反対で、互に反対方向に移動した位置ではチャンネル３０８の開放末端中に締め付けるように滑りこまされる円筒部を作る。
【００７１】
図１８に示される如く、液出し管３８５は２つの締め付け部３８９の間に滑入されその後２つの締め付け部は中間の液出し管末端と共に、接続器３８７が破られた後チャンネル３０８中に滑込まされる。次に締め付け部３８９の内側の歯３８３が管３８５を固定的に締め付け保持する。
【００７２】
図１９は容器３０１に取り付けられた図１５の如きバルブ組立品３０８上に設けられた第２カップリングパーツ３８０を示す。この第２カップリングパーツ３８０は中央路３８４を有する圧力管３８１を含み、この圧力管３８１は加圧ブロック３８２中を通つている。加圧ブロック３８２に設けられているのはバルブ組立品３０８の開放中に作られるショルダー３５７と対抗面３７３の間の通路と流体連絡される空気路３７６である。圧力管３８１は加圧体３２１の頂部エッジに気密で液もれなく接続され、ばね３４７にさからってバルブフート３１９の方に距離Ｓ１だけ動きうる。
【００７３】
従って転移面３５３上の通路３５６は完全に開放され、飲料が通路３８４および開口３５６を通り、容器の内部空間中に通過可能で、容器内に存在する空気を、大気へ放出するために空気通過口３３１およびショルダー３５７と対抗面３７３の間に作られた空間を介し空気通路３７６へと押しやる。開口３５６を完全に開放すると充填流量が大になる。距離Ｓ１はその中を大１カップリングパーツ３００が動きうる距離Ｓ２よりかなり大である。
【００７４】
図１５に示されたバルブ組立品３０８においては、例えば容器３０１の内部空間に（不用意に）大きな圧力が生じた場合、バルブ本体３２０はばね３４７のばね圧に抗して加圧体３２１の方向に動きうる。かくしてバルブ本体３２０の頂部末端３２０Ｂは転移面３５３の上の位置へと動き、従って少なくとも開口３５６の一部は開放せられる。ここを通つて容器内容物の一部は大気中へと流れ圧力が落ちる。
【００７５】
末端面３５２が転移面３５３を急過するのでバルブ組立品３０８の特に簡単な清浄化が可能である。
【００７６】
図１８から明らかな如く、容器３０１にはその頂部末端に隣接して外側に溝３２８のあるネック部が設けられており、この溝はネック部の自由な上方縦エッジより幾らか下の位置に設けられている。本発明に係るバルブ組立品３０８は頂部側から、リング３６１の内側がこの頂部末端にくるまで、ネック中に滑入せられる。次に締め付けリング３２９がリング３６１の上を滑動せられ押し下げられ、セグメン３２６がその垂直位置に押し入れられ、またセグメン３２６の締め付けフィンガー３２６Ａが溝３２８にかみ合わされる。締め付けリング３２９はこうしてリング３６１上で締め付けられる。その結果バルブ組立品３０８と容器３０１のネックの間のしっかりした連結が特に簡単な方法で得られる。
【００７７】
浸漬管３５９は容器の底末端近くの位置まで伸びる。図１８に示される如く、環４００はリング３６１と容器３０１のネックの間で締め付けられる。管３８５の自由端に固定されているのは腕木片４０１で流出口４０２がもうけられており、使用中これは垂直に下方に向けられる。
【００７８】
管３８５の操作のために用務素子４０３がもうけられている。この管３８５は柔軟性でホース状であることが好ましい。バルブ組立品３０８の設けられた容器３０１は例えば図１４に示されるような組立物に用いられる。本発明は明細書並びに図に示された具体例に何ら限定されるものではない。多くの改変が本発明の範囲から逸脱することなく可能である。
【００７９】
例えば圧力媒体源への連絡手段は容器の別の位置例えば容器の底側近くに設けることが出来る。また第１及び／又は第２カップリング手段は違つた風に設計できる。第２カップリング手段は固定的に充填装置の上にあるいは少なくともその一部として設計可能である。バルブハウジング１８は違う風に、例えば別法で外容器２の上に取り付けることが出来、あるいはそれに固定的に接続してもあるいはしなくてもかまわない。全容器１はリサイクル可能であるが、好ましくはバルブ組立品あるいは少なくともバルブハウジングがバルブ本体と共に、また可能であればそれに接続されている内容器４と共にリサイクルされ、そと容器２は直接再利用されるようにすることも出来る。
【００８０】
各部品の運動学的変更も本発明範囲内と理解さるべきである。例えば関連飲料チャンネル内のバルブ本体は周囲面中の通路と接続されあるいはまたそれと一体構成にしてもよく、また例えば飲料の実質的に軸性の流入方向をもうけてもかまわない。さらに存在させる場合にはばね手段はいろいろに構成せられうる。また第１、２および３位置のための停止手段を種々の方法でもうけることができる。また内容器にはバルブ組立品に接続される浸漬管構造を設けることができる。またいろいろな型の内容器等、例えばオランダ特許出願１００６９４９；１００６９５０に記載の如き内容器、加圧媒体への接続手段、冷却手段に関するものおよびタップ構造、ホースの如くタッピング装置に関するものをもちいることが出来る。
【００８１】
内容器を用いない場合、本発明にかかる容器はバルブ組立品が組み入れられる迄に、バルブ、少なくともバルブ組立品が挿入されるべき開口を通じて、充填せられる。これらの具体例並びにおおくの類似具体例は全て本願発明の範囲内と理解さるべきである。
【図面の簡単な説明】
図１は本発明に係る容器の略図的側断面図
図１Ａは図１の容器の斜視図
図２は容器の頸部上に設けられた容器充填のための第２カップリング手段を含
む本発明の第１具体例に係るバルブ組立品の部分拡大側断面図
図２Ａは図２のバルブ組立品の部分的な斜視図
図３は図２のバルブ組立品の開放条件下での部分拡大側断面図
図４は図２のバルブ組立品で、但し容器を空にするための第１カップリング手
段が設けられたものの閉鎖状態にあるものの部分拡大側断面図
図５は図４のバルブ組立品で開放状態にあるものの部分拡大側断面図
図６は本発明の別の具体例に係るバルブ組立品で、第１カップリング手段を有
し一体化された保護デイシュを含むものの斜視図
図７は本発明のさらに別の具体例に係るバルブ組立品で独立した保護デイシュ
を有するものの側断面図
図８は保護デイシュ、スペ−サ−手段およびバルブハウジングの一部を含むバ
ルブ組立品の一部の２つの斜視図
図９Ａは本発明に係るバルブ組立品に用いられるバネ手段の断面図
図９Ｂはさらに別のバネ手段の断面図
図１０は充填中の容器の接続を示す略図
図１１は飲料供給中の容器の接続を示す略図
図１２は別の具体例でのバルブ本体と第２カップリング手段の一部分の断面図
図１３は図１２に匹敵する別の具体例でのバルブ本体と第１カップリング手段
の一部分の断面図
図１４はホルダ−中に設置された本発明の容器を示す図
図１５はさらに別の具体例での本発明に係るバルブ組立品の側断面図
図１６は図１５のバルブ組立品で浸漬管の取り除かれたものの斜視図
図１７は別の具体例での第１カップリング手段の側断面図
図１８は図１５に係るバルブ組立品と図１７の第１カップリング手段を有する
容器の一部分の拡大断面図
図１９は図１８の容器の一部を容器充填のための第２カップリング手段と共に
示す部分側断面図
【符号の説明】
１    容器
２    外容器
４    内容器
６    頂部末端
８    バルブ組立品
１０    底部末端
１２    起立環
１４    第２環
１６    ハンドグリップ
１８    バルブハウジング
２０    バルブ本体
２２    頂面
２３    隆起部
２５    溝
２６    締め付け隆起
２８    頸部
３０    第２締め付け隆起
３２    中心開口
３４    第１ガイドネック
３６    第２ガイドネック
３８    締め付けエッジ
４０    ハウジング下部
４２    円筒壁
４４    室
４６    スペ−サ−部
４７    転移部
４８    中央孔
５０    中央路
５１    内部空間
５２    末端面
５３    環状溝
５４    円周壁
５５    環状溝
５６    開口
５７    環状隆起部
５８    リップ
５９    薄い部分
６０    円周エッジ
６１    環状隆起部
６２    環部
６４    上末端
６６    フランジ
６８    表面
７０    リップ
７４    第１部
７６    空気通路
７８    空間
８０    カップリングパ−ツ
８２    円錐台底部末端
８４    中心通路
８６    第２部分
８８    盛り上がりリップ
９０    外壁
９２    壁
９４    開口
１００    第１カップリング手段
１０２    第１周壁
１０４    内エッジ
１０６    上部縦エッジ
１０８    ひざ型チャンネル部
１１０    第１脚部
１１２    第２脚部
１１４    突出部分
１１６    たわみホ−ス
１１８    環型エッジ
１２０    飲料放出チャンネル部
１２２    停止面
１２４    皿型パ−ツ
１２６    縦エッジ
１２８    リブ
１３０    はざま
１４４    室
１４５    ばね手段
１４７    コイルばね
２４４    室
２４５    ばね手段
２４７    ばねリップ
２６６    フランジ
３００    第１カップリング手段
３０１    頂面
３０２    円筒状エプロン
３０８    チャンネル部
３１８    バルブハウジング
３１９    バルブフ−ト
３２０    バルブ本体
３２０Ａ  第１末端
３２０Ｂ  頂部末端
３２１    加圧体
３２３    フランジ
３２６    セグメント
３２６Ａ  締め付けフィンガ−
３２９    締め付けリング
３３１    ガス通過口
３３３    円筒部
３４７    ばね
３５０    中心孔
３５０Ａ  中心孔
３５２    端面
３５３    転移面
３５５    開口
３５６    半径方向開口
３５７    ショルダ−
３５９    浸漬管
３６１    リング
３６３    中心開口
３７１    筒部
３７２    Ｏリング
３７３    対抗面
３７５    筒状体
３７６    空気路
３８０    第２カップリングパ−ツ
３８１    圧力管
３８２    加圧ブロック
３８３    歯
３８４    中央路
３８５    液出し管
３８７    圧力接続器
３８９    うねつき締め付け部
３９０    内部空間
３９１    外末端
３９３    連絡口
３９５    空気路
３９７    溝
３９８    エッジ
３９９    エッジ
４００    環
４０１    腕木片
４０２    流出口
４０３    用務素子
【図１】
0004804627.tif 000002
【図２】
0004804627.tif 000003
【図１Ａ】
0004804627.tif 000004
【図２Ａ】
0004804627.tif 000005
【図３】
0004804627.tif 000006
【図４】
0004804627.tif 000007
【図５】
0004804627.tif 000008
【図６】
0004804627.tif 000009
【図７】
0004804627.tif 000010
【図８】
0004804627.tif 000011
【図９Ａ】
0004804627.tif 000012
【図９Ｂ】
0004804627.tif 000013
【図１２】
0004804627.tif 000014
【図１３】
0004804627.tif 000015
【図１０】
0004804627.tif 000016
【図１１】
0004804627.tif 000017
【図１４】
0004804627.tif 000018
【図１５】
0004804627.tif 000019
【図１６】
0004804627.tif 000020
【図１７】
0004804627.tif 000021
【図１８】
0004804627.tif 000022
【図１９】
0004804627.tif 000023